(57)【要約】【課題】回動部材とケーシングの内部を通るように索状部材を引き回す場合に、索状部材の保護を図れる技術を提供する。【解決手段】便器本体に設置されるケーシング２０と、ケーシング２０にヒンジ機構４８を介して回動可能に取り付けられ、倒伏位置と起立位置の間を回動可能な中空構造の回動部材と、ケーシング２０及び回動部材のそれぞれの内部を通るように引き回される索状部材２４、２６と、を備え、ケーシング２０及び回動部材の一方は、ヒンジ機構４８のヒンジ軸部４８ｃとは異なる箇所に設けられ、索状部材２４、２６が挿通される挿通部５２、５４を有し、挿通部５２、５４は、ケーシング２０及び回動部材の他方の内部空間に索状部材２４、２６を引き出すための引出口６０を有し、引出口６０は、特定回動範囲のいずれに回動部材があるときも、その内部空間に露出する位置にあるように設けられる。【選択図】図８
2019177007.tif 000002
【特許請求の範囲】
【請求項１】
便器本体に設置されるケーシングと、
前記ケーシングにヒンジ機構を介して回動可能に取り付けられ、倒伏位置と起立位置の間を回動可能な中空構造の回動部材と、
前記ケーシング及び前記回動部材のそれぞれの内部を通るように引き回される索状部材と、を備え、
前記ケーシング及び前記回動部材の一方は、前記ヒンジ機構のヒンジ軸部とは異なる箇所に設けられ、前記索状部材が挿通される挿通部を有し、
前記挿通部は、前記ケーシング及び前記回動部材の他方の内部空間に前記索状部材を引き出すための引出口を有し、
前記回動部材の回動可能範囲のなかで前記倒伏位置から前記起立位置側に向かう少なくとも一部の範囲を特定回動範囲というとき、前記引出口は、前記特定回動範囲のいずれに前記回動部材があるときも、前記内部空間に露出する位置にあるように設けられる回動ユニット。
【請求項２】
前記挿通部は、前記ケーシングに設けられる請求項１に記載の回動ユニット。
【請求項３】
前記索状部材には、配線用の第１索状部材と、導水用の第２索状部材とが含まれ、
前記挿通部には、前記第１索状部材が挿通される第１挿通部と、前記第２索状部材が挿通される第２挿通部とが含まれる請求項１または２に記載の回動ユニット。
【請求項４】
前記挿通部は、前記ケーシング及び前記回動部材の他方と当たることにより、前記回動部材の回動範囲を規制可能である請求項１から３のいずれかに記載の回動ユニット。
【請求項５】
前記挿通部は、前記ケーシング及び前記回動部材の一方から突き出るように設けられ、
前記ケーシング及び前記回動部材の他方は、前記回動部材の回動範囲での位置によらず、前記挿通部の先端部を覆い隠すように設けられる請求項１から４のいずれかに記載の回動ユニット。
【請求項６】
前記引出口は、前記回動部材が前記倒伏位置と前記起立位置のいずれにあるときも、前記内部空間に露出する位置にあるように設けられる請求項１から５のいずれかに記載の回動ユニット。
【請求項７】
便器本体と、
前記便器本体に取り付けられる請求項１から６のいずれかに記載の回動ユニットと、を備える便器装置。
【発明の詳細な説明】
【技術分野】
【０００１】
本発明は、便器装置に用いられる回動ユニットに関する。
【背景技術】
【０００２】
従来より、便器本体にケーシングを設置し、そのケーシングにヒンジ機構を介して便座を取り付けたうえで、その便座内に局部洗浄装置等の機能部品を組み込むことがある（たとえば、特許文献１参照）。このように便座内に機能部品を組み込むうえでは、通常、便座内の機能部品とケーシング内の電気部品を配線用のケーブルを介して接続する必要がある。
【先行技術文献】
【特許文献】
【０００３】
【特許文献１】特開２０１５−５４０９０号公報
【発明の概要】
【発明が解決しようとする課題】
【０００４】
ところで、特許文献１の構造のもとでは、便座が倒伏位置から起立位置に回動するとき、ケーブルの一部が外部空間に露出してしまう。ケーブルの露出箇所は変形が拘束されていないため、便座が倒伏位置に回動するときに大きく変形してしまい、便座とケーシングの間にケーブルが挟み込まれる恐れがある。これは、便座、便蓋等の回動部材とケーシングの内部を通るように、ケーブル、ホース等の索状部材を引き回す場合に共通する問題であり、その改善が望まれる。
【０００５】
本発明のある態様は、このような課題に鑑みてなされ、その目的の１つは、回動部材とケーシングの内部を通るように索状部材を引き回す場合に、索状部材の保護を図れる技術を提供することにある。
【課題を解決するための手段】
【０００６】
前述の課題を解決するための本発明の第１態様は、便器本体に設置されるケーシングと、前記ケーシングにヒンジ機構を介して回動可能に取り付けられ、倒伏位置と起立位置の間を回動可能な中空構造の回動部材と、前記ケーシング及び前記回動部材のそれぞれの内部を通るように引き回される索状部材と、を備え、前記ケーシング及び前記回動部材の一方は、前記ヒンジ機構のヒンジ軸部とは異なる箇所に設けられ、前記索状部材が挿通される挿通部を有し、前記挿通部は、前記ケーシング及び前記回動部材の他方の内部空間に前記索状部材を引き出すための引出口を有し、前記回動部材の回動可能範囲のなかで前記倒伏位置から前記起立位置側に向かう少なくとも一部の範囲を特定回動範囲というとき、前記引出口は、前記特定回動範囲のいずれに前記回動部材があるときも、前記内部空間に露出する位置にあるように設けられる。
【０００７】
第１態様によれば、回動部材が回動するときでも特定回動範囲では、ケーシング及び回動部材の他方と挿通部との間から索状部材が外部空間にはみ出る事態を避けられる。これに伴い、回動部材が倒伏位置と起立位置の間を回動する前後で、回動部材とケーシングの間から外部空間に索状部材がはみ出る事態を避け易くなる。よって、索状部材の外部空間へのはみ出しに起因して、回動部材が倒伏位置に回動するときに索状部材が大きく変形してしまい、回動部材とケーシングの間に挟み込まれる事態を避け易くなる。
【図面の簡単な説明】
【０００８】
【図１】本実施形態の便器装置の斜視図である。
【図２】本実施形態の便器装置の側面図である。
【図３】本実施形態の回動ユニットの一部の機能を示す構成図である。
【図４】図３のＡ−Ａ線断面図である。
【図５】本実施形態の回動ユニットの一部を示す上面断面図である。
【図６】図５の左側のヒンジ機構の一部を下側から見た斜視図である。
【図７】本実施形態の第１挿通部を右上側から見た斜視図である。
【図８】本実施形態の回動ユニットの一部を示す他の上面断面図である。
【図９】図４と同じ視点から回動ユニットを見た他の図である。
【図１０】図９の矢視Ｂからケーシングの挿通部を周辺構造とともに見た図である。
【発明を実施するための形態】
【０００９】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１０】
図１は、本実施形態の便器装置１０の斜視図である。図２は、便器装置１０の側面図である。図２では、便器本体１４の一部の内部構造を示す。便器装置１０は、前部に便鉢部１２を有する便器本体１４と、便器本体１４に取り付けられる回動ユニット１６とを備える。便器本体１４は、便鉢部１２の他に、便鉢部１２の上端開口の周縁部を形成するリム部１８を有する。
【００１１】
図３は、回動ユニット１６の一部の機能を示す構成図である。回動ユニット１６は、主に、ケーシング２０と、便座２２と、索状部材２４、２６と、を備える。以下、互いに直交する三つの方向を用いて説明する。これらの方向とは、便器本体１４の前後方向Ｘ、左右方向Ｙ及び上下方向Ｚである。前後方向Ｘ、左右方向Ｙは水平方向であり、便座２２に通常の姿勢で座る人の前後左右と対応する。上下方向Ｚは鉛直方向である。
【００１２】
図１〜図３に示すように、ケーシング２０は、便器本体１４の後部に設置される。ケーシング２０には、複数の第１機能部品２８が収容される。ケーシング２０には、ヒンジ機構を介して回動可能に便蓋３０が取り付けられる。
【００１３】
図４は、図３のＡ−Ａ線断面図である。本図では便座２２が倒伏位置Ｐａにある。ケーシング２０は、便器本体１４の後部に取り付けられるとともに第１機能部品２８を支持するベース部材３２と、第１機能部品２８を覆うようにベース部材３２に組み付けられるケースカバー３４とを有する。
【００１４】
図２に示すように、便座２２は、ケーシング２０に後述するヒンジ機構を介して回動可能に取り付けられる。便座２２は、便器本体１４のリム部１８上に倒伏した倒伏位置Ｐａと、便器本体１４に対して起立した起立位置Ｐｂの間を回動可能である。本実施形態では、便座２２の回動可能範囲の一端位置が倒伏位置Ｐａとなり、その回動可能範囲の他端位置が起立位置Ｐｂとなる。
【００１５】
図３、図４に示すように、便座２２は、全体として環状をなす中空構造である。便座２２の内部には周方向に連続する空洞部が設けられ、その後部の内部には複数の第２機能部品３６が収容される。
【００１６】
ここでの機能部品２８、３６とは、便器装置１０に付随する所定の機能を発揮するためのものである。機能部品２８、３６には、たとえば、便座２２に着座する着座者の局部を洗浄するための局部洗浄装置３８、着座者に乾燥風を吹き付けて乾燥させるための乾燥装置４０、便鉢部１２内で発生する臭気を吸引して脱臭するための脱臭装置４２が含まれる。また、この他にも、便座２２や便蓋３０を回動するための駆動装置（不図示）、各機能部品に電力を供給したり各機能部品を制御するための回路基板４４、局部洗浄装置３８等に洗浄水を供給するための給水装置４６、が含まれる。ケーシング２０には、前述の駆動装置、回路基板４４、給水装置４６が第１機能部品２８として収容される。便座２２には、局部洗浄装置３８と、乾燥装置４０と、脱臭装置４２とが第２機能部品３６として収容される。
【００１７】
索状部材２４、２６は可とう性を持つ。索状部材２４、２６は、ケーシング２０及び便座２２のそれぞれの内部を通るように引き回される。詳しくは、索状部材２４、２６は、ケーシング２０の内部に一端側部分が配置され、かつ、便座２２の内部に他端側部分が配置されるように引き回される。索状部材２４、２６は、このように引き回されるうえで、後述する挿通部５２、５４内を通るように設けられる。
【００１８】
本実施形態の索状部材２４、２６には、配線用の複数の第１索状部材２４と、導水用の第２索状部材２６と、が含まれる。本実施形態において、第１索状部材２４はケーブルが構成し、第２索状部材２６はホースが構成する。本実施形態においては三つの第１索状部材２４が用いられる。三つの第１索状部材２４は長手方向に間を空けた箇所Ｐｃで束ねられている。
【００１９】
索状部材２４、２６の一端部はケーシング２０内の第１機能部品２８に接続され、その他端部は便座２２内の第２機能部品３６に接続される。詳しくは、本実施形態において、三つの第１索状部材２４の一端部はケーシング２０内の回路基板４４に接続される。複数の第１索状部材２４の他端部は、便座２２内の局部洗浄装置３８、乾燥装置４０、脱臭装置４２のそれぞれに個別に接続される。局部洗浄装置３８等には回路基板４４から第１索状部材２４を通して電力、制御信号等が伝送される。第２索状部材２６の一端部はケーシング２０内の給水装置４６に接続される。第２索状部材２６の他端部は便座２２内の局部洗浄装置３８に接続される。局部洗浄装置３８には給水装置４６から第２索状部材２６を通して洗浄水が供給される。
【００２０】
図５は、回動ユニット１６の一部を示す上面断面図である。本図では便座２２が倒伏位置Ｐａにある。本実施形態の便座２２は一対のヒンジ機構４８を介してケーシング２０に回動可能に取り付けられる。一対のヒンジ機構４８は左右方向Ｙに間を置いて設けられる。
【００２１】
ヒンジ機構４８は、ケーシング２０に設けられる第１ヒンジベース部４８ａと、便座２２に設けられる第２ヒンジベース部４８ｂとを有する。本実施形態の第１ヒンジベース部４８ａと第２ヒンジベース部４８ｂは左右方向Ｙに対向して設けられる板状をなす。第１ヒンジベース部４８ａは、ケーシング２０の前面部から前方に突き出るように設けられる。第２ヒンジベース部４８ｂは、便座２２の後面部から後方に突き出るように設けられる。
【００２２】
ヒンジ機構４８は、第１ヒンジベース部４８ａ及び第２ヒンジベース部４８ｂの一方に設けられるヒンジ軸部４８ｃと、それらの他方に設けられるとともにヒンジ軸部４８ｃを回動自在に支持する軸支持部４８ｄとを有する。本実施形態において、ヒンジ軸部４８ｃは第２ヒンジベース部４８ｂ、軸支持部４８ｄは第１ヒンジベース部４８ａに設けられる。ヒンジ軸部４８ｃは第２ヒンジベース部４８ｂから第１ヒンジベース部４８ａに突き出るように設けられ、軸支持部４８ｄは第１ヒンジベース部４８ａから第２ヒンジベース部４８ｂに突き出るように設けられる。
【００２３】
図６は、図５の左側（紙面右側）のヒンジ機構４８の一部を下側から見た斜視図である。図５、図６に示すように、便座２２のケーシング２０と前後方向Ｘに対向する箇所には便座２２の外内を通じさせる開口部５０が設けられる。便座２２の開口部５０は、左右方向Ｙにずれた位置に設けられる一対の側壁部５０ａ、５０ｂが形成している。一対の側壁部５０ａには、左右方向Ｘ外側の第１側壁部５０ａと、左右方向Ｘ内側の第２側壁部５０ｂとが含まれる。第１側壁部５０ａは、便座２２の後面部から後方に突き出るように設けられ、第２ヒンジベース部４８ｂを構成している。第２側壁部５０ｂは、便座２２の後面部から前方に延びるように設けられる。第１側壁部５０ａの左右方向Ｙ内側を向く内壁面には第１平坦面５０ｃが設けられ、第２側壁部５０ｂの左右横行Ｙ外側を向く外壁面には第２平坦面５０ｄが設けられる。
【００２４】
図５に示すように、ケーシング２０は、ヒンジ機構４８のヒンジ軸部４８ｃと異なる箇所に設けられ、索状部材２４、２６が挿通される挿通部５２、５４を有する。本実施形態の挿通部５２、５４は、ヒンジ機構４８の構成要素となるヒンジベース部４８ａ、４８ｂ、ヒンジ軸部４８ｃ、軸支持部４８ｄとは異なる箇所、つまり、ヒンジ機構４８とは異なる箇所に設けられる。
【００２５】
挿通部５２、５４には、第１索状部材２４が挿通される第１挿通部５２と、第２索状部材２６が挿通される第２挿通部５４とが含まれる。第１挿通部５２と第２挿通部５４は左右方向Ｙに間を置いて設けられる。第１挿通部５２と第２挿通部５４は、大半の構成が共通するため、その共通する構成に関しては、第１挿通部５２を示す図面を参照しながら説明する。
【００２６】
挿通部５２、５４は、ヒンジ機構４８より左右方向Ｙの内側に設けられる。詳しくは、挿通部５２、５４は、一対のヒンジ機構４８に対して左右方向Ｙの内側にずれて位置するように設けられる。第１挿通部５２と第２挿通部５４は、一対のヒンジ機構４８に対して挟まれた箇所に位置するように設けられるとも捉えられる。
【００２７】
図７は、第１挿通部５２を右上側から見た斜視図である。図４、図５、図７に示すように、挿通部５２、５４は、ケーシング２０の便座２２と前後方向Ｘに対向する箇所から、前後方向Ｘで便座２２側に近づく方向（前方向）に突き出るように設けられる。挿通部５２、５４の基端側部分は前方向に延びるように設けられ、それらの先端側部分は上方向に延びるように設けられる。
【００２８】
挿通部５２、５４の内側にはケーシング２０の内部空間の一部となる配索空間５６が設けられる。配索空間５６は、ケーシング２０に設けられる第１機能部品２８を収容する収容空間５８から前方向に広がるように設けられる。索状部材２４、２６は配索空間５６を通るように配される。
【００２９】
挿通部５２、５４は、便座２２の内部空間２２ａに索状部材２４、２６を引き出すための引出口６０を有する。ケーシング２０の内部空間は、便座２２が倒伏位置Ｐａにあるとき、挿通部５２、５４の引出口６０を介して外部空間６２を経由することなく便座２２の内部空間２２ａに通じている。挿通部５２、５４の引出口６０は、挿通部５２、５４の左右方向Ｙ内側の内側面６４に開口している。詳しくは、一対の挿通部５２、５４それぞれの引出口６０は、一対の挿通部５２、５４それぞれの内側面６４に開口している。本実施形態の引出口６０は挿通部５２、５４の先端部から基端側に向けて窪む切り欠きである。本実施形態の引出口６０は、ヒンジ機構４８のヒンジ軸部４８ｃの中心軸線Ｌａに沿った軸方向（左右方向Ｙ）から見て、その中心軸線Ｌａと重なる位置に設けられる。
【００３０】
本実施形態の挿通部５２、５４の先端部には先端開口６６が設けられる。引出口６０の縁面は、先端開口６６の縁面と連続するように設けられる。本実施形態の挿通部５２、５４の先端部は、便座２２が倒伏位置Ｐａにあるとき、便座２２の上面部から隙間６８を空けて設けられる。隙間６８の最小幅は、たとえば、索状部材２４、２６の外径より小さくなるように設定される。
【００３１】
便座２２の開口部５０を構成する第１側壁部５０ａは、挿通部５２、５４を左右方向Ｙの外側から覆うように設けられる。便座２２の開口部５０を構成する第２側壁部５０ｂは、挿通部５２、５４の引出口６０以外の他の箇所と左右方向Ｙに重なるように設けられる。一対の側壁部５０ａ、５０ｂは、便座２２が回動するとき、ケーシング２０の挿通部５２、５４と接触することで、便座２２の動きをガイド可能である。
【００３２】
図８は、回動ユニット１６の一部を示す他の上面断面図である。本図では便座２２が起立位置Ｐｂにある。図３、図４、図８に示すように、索状部材２４、２６は、ケーシング２０の収容空間５８を画定する箇所と、便座２２の内部空間２２ａを画定する箇所に固定具７０を用いて固定されている。本実施形態の固定具７０は、索状部材２４、２６を挟み込んだ状態でケーシング２０や便座２２に固定するクリップである。索状部材２４、２６は、ケーシング２０に対する固定具７０による固定箇所と、便座２２に対する固定具７０による固定箇所の間に設けられる弛み部分７２を有する。索状部材２４、２６の弛み部分７２は挿通部５２、５４に挿通される。なお、複数の第１索状部材２４は、複数の第１索状部材２４を束ねた一対の束ね箇所Ｐｃの間で固定具７０を用いて固定される。
【００３３】
図９は、図４と同じ視点から回動ユニット１６を見た他の図である。本図では便座２２が起立位置Ｐｂにある。便座２２の回動可能範囲のなかで倒伏位置Ｐａから起立位置Ｐｂ側に向かう少なくとも一部の範囲を特定回動範囲という。図４、図５、図８、図９に示すように、引出口６０は、便座２２が特定回動範囲のいずれにあるときも、便座２２の内部空間２２ａに露出する位置にあるように設けられる。本実施形態での特定回動範囲は、倒伏位置Ｐａから起立位置Ｐｂまでの全範囲、つまり、便座２２の回動可能範囲そのものである。引出口６０は、便座２２が倒伏位置Ｐａと起立位置Ｐｂのいずれにあるときも、便座２２の内部空間２２ａに露出する位置にあるように設けられるとも捉えられる。引出口６０は、便座２２が特定回動範囲のいずれにあるときも、便座２２やケーシング２０の外部空間６２に露出しない位置に設けられるとも捉えられる。
【００３４】
索状部材２４、２６は、便座２２やケーシング２０の外部空間６２を経由することなく、挿通部５２、５４の内部のみを経由して、ケーシング２０の内部空間から便座２２の内部空間２２ａに引き出される。この条件は、便座２２が特定回動範囲のいずれにあるときも満たされる。なお、挿通部５２、５４は、便座２２が特定回動範囲のいずれにあるときも、便座２２の開口部５０を通るように設けられる。
【００３５】
回動ユニット１６の作用とともに効果を説明する。
【００３６】
（Ａ）便座２２の内部空間２２ａに索状部材２４、２６を引き出すための挿通部５２、５４の引出口６０は、便座２２が特定回動範囲のいずれにあるときも、便座２２の内部空間２２ａに露出する位置にあるように設けられる。よって、便座２２が回動するときでも特定回動範囲では、便座２２とケーシング２０の挿通部５２、５４との間から索状部材２４、２６が外部空間６２にはみ出る事態を避けられる。これに伴い、便座２２が倒伏位置Ｐａと起立位置Ｐｂの間を回動する前後で、便座２２とケーシング２０の間から外部空間６２に索状部材２４、２６を避け易くなる。よって、索状部材２４、２６の外部空間へのはみ出しに起因して、便座２２が倒伏位置Ｐａに回動するときに索状部材２４、２６が大きく変形してしまい、便座２２とケーシング２０の間に挟み込まれる事態を避け易くなる。これにより、便座２２とケーシング２０の内部を通るように索状部材２４、２６を引き回す場合に、索状部材２４、２６の保護を図れる。
【００３７】
特に、本実施形態の挿通部５２、５４の引出口６０は、便座２２が倒伏位置Ｐａと起立位置Ｐｂのいずれにあるときも、便座２２の内部空間２２ａに露出する位置にあるように設けられる。よって、便座２２が倒伏位置Ｐａと起立位置Ｐｂの間を回動するとき、前述のように索状部材２４、２６が外部空間６２にはみ出る事態を安定して避けられ、前述の効果を有効に得られる。
【００３８】
倒伏位置Ｐａと起立位置Ｐｂの間を便座２２が回動したとき、索状部材２４、２６の一端側部分と他端側部分の相対的な位置関係が変化する。これに追従して、索状部材２４、２６の挿通部５２、５４内に挿通される弛み部分７２にねじれ荷重や曲げ荷重が付与され、その弛み部分７２が変形しようとする。
【００３９】
ここで、かりに、ヒンジ機構４８のヒンジ軸部４８ｃに索状部材２４、２６を挿通する場合、ヒンジ軸部４８ｃを中空構造としたうえで索状部材２４、２６を挿通することになる。しかしながら、意匠性への要求から、ヒンジ軸部４８ｃを含むヒンジ機構４８を大型化するにも限界がある。このため、ヒンジ軸部４８ｃに索状部材２４、２６を挿通する場合、索状部材２４、２６の弛み量を大きくするためのスペースをヒンジ軸部４８ｃ内に確保し難くなる。このようなスペースを確保できないと、索状部材２４、２６の弛み部分７２が変形しようとしたとき、索状部材２４、２６とヒンジ軸部４８ｃの内壁面との間での摩擦により索状部材２４、２６の変形が容易に拘束され、索状部材２４、２６の弛み部分７２に局所的にねじれ荷重や曲げ荷重が付与され易くなる。
【００４０】
この点、本実施形態ではヒンジ軸部４８ｃとは異なる箇所に索状部材２４、２６の挿通部５２、５４が設けられている。よって、ヒンジ機構４８の大型化を伴うことなく挿通部５２、５４を容易に大型化でき、索状部材２４、２６の弛み量を大きくするためのスペースを挿通部５２、５４内に確保し易くなる。これに伴い、十分な弛みを持たせた状態で索状部材２４、２６の弛み部分７２を挿通部５２、５４に挿通できる。このため、索状部材２４、２６の弛み部分７２が変形しようとしたとき、その弛み部分７２に局所的にねじれ荷重や曲げ荷重が付与される事態を避け易くなる。この結果、便座２２の回動に伴う索状部材２４、２６の負担を軽減でき、索状部材２４、２６の保護を図れる。
【００４１】
挿通部５２、５４は、ケーシング２０に回動可能に取り付けられる便座２２ではなくケーシング２０に設けられる。よって、便座２２の回動に追従して挿通部５２、５４が回動しないため、挿通部５２、５４の回動を許容するための余分なスペースを便座２２の内部空間に確保せずともよくなり、便座２２の小型化を図れる。
【００４２】
挿通部５２、５４には、配線用の第１索状部材２４が挿通される第１挿通部５２と、導水用の第２索状部材２６が挿通される第２挿通部５４とが含まれる。よって、導電経路となる第１索状部材２４と導水経路となる第２索状部材２６が同じ挿通部５２、５４を通る場合より安全性を高められる。
【００４３】
回動ユニット１６の他の工夫点を説明する。図４、図９を参照する。便座２２には第１ストッパ部７３が設けられ、ケーシング２０には第１ストッパ受け部７４が設けられる。本実施形態の第１ストッパ部７３は、便座２２の後面部、詳しくは、便座２２の上面部の後端から垂れ下がる便座２２の後面部の下縁部に設けられる。本実施形態の第１ストッパ受け部７４は、ケーシング２０の挿通部５２、５４の後面部に設けられる。便座２２は、便座２２が倒伏位置Ｐａから起立位置Ｐｂに向かう起立方向Ｐｄに回動したとき、第１ストッパ部７３が第１ストッパ受け部７４に当たることにより、その起立方向Ｐｄでの回動範囲が規制される。本実施形態の便座２２は、第１ストッパ部７３が第１ストッパ受け部７４に当たるとき、前述の起立位置Ｐｂに配置される。
【００４４】
便座２２には第２ストッパ部７６が設けられ、ケーシング２０には第２ストッパ受け部７８が設けられる。第２ストッパ部７６は、便座２２の後面部、詳しくは、本実施形態の便座２２の下面部の後端から立ち上がる便座２２の後面部の上縁部に設けられる。本実施形態の第２ストッパ受け部７８は、ケーシング２０の挿通部５２、５４の前面部に設けられる。便座２２は、便座２２が起立位置Ｐｂから倒伏位置Ｐａに向かう倒伏方向Ｐｅに回動したとき、第２ストッパ部７６が第２ストッパ受け部７８に当たることにより、その倒伏方向Ｐｅでの回動範囲が規制される。本実施形態の便座２２は、第２ストッパ部７６が第１ストッパ受け部７８に当たるとき、前述の倒伏位置Ｐａに配置される。
【００４５】
このように、ケーシング２０の挿通部５２、５４は、便座２２と当たることにより、便座２２の回動範囲を規制可能である。よって、便座２２の回動範囲を規制するための箇所を挿通部５２、５４とは別の箇所に設けずともよくなり、回動ユニット１６の構造の簡素化を図れる。
【００４６】
図１０は、図９の矢視Ｂからケーシング２０の挿通部５２を周辺構造とともに見た図である。図４、図９、図１０等に示すように、便座２２は、便座２２の回動可能範囲での位置によらず、挿通部５２、５４の先端部８０を覆い隠すように設けられる。これは、便座２２の回動可能範囲での位置によらず、挿通部５２、５４の先端部８０を前後左右から便座２２が覆うように設けられ、挿通部５２、５４の先端部８０を前後左右から視認不能であることを意味する。これにより、便座２２の回動可能範囲の位置によって挿通部５２、５４の先端部８０が外部空間６２に露出する場合と比べ、挿通部５２、５４の先端部８０と便座２２の間に指先が入り難くなり、安全性を向上を図れる。
【００４７】
このような観点から、ケーシング２０の挿通部５２、５４と便座２２の間の継ぎ目は、ユーザの指先を差し込み不能な大きさに設定されるとよい。この継ぎ目には、便座２２と挿通部５２、５４の先端部８０の間の隙間が含まれる。
【００４８】
以上、実施形態をもとに本発明を説明した。次に、各構成要素の変形例を説明する。
【００４９】
便座２２は、便器本体１４に回動可能に取り付けられる回動部材の例として説明した。索状部材２４、２６の引き回しの対象となる回動部材は、便座２２に限定されるものではなく、たとえば、便蓋３０でもよい。
【００５０】
挿通部５２、５４は、ケーシング２０及び回動部材の一方となるケーシング２０に設けられる例を説明したが、回動部材に設けられてもよい。この場合、挿通部５２、５４の引出口６０からは、ケーシング２０及び回動部材の他方となるケーシング２０の内部空間に索状部材２４、２６を引き出せればよい。また、この場合、回動部材の挿通部５２、５４の引出口６０が、回動部材が倒伏位置Ｐａと起立位置Ｐｂのいずれにあるときも、ケーシング２０の内部空間に露出する位置にあるように設けられていればよい。
【００５１】
ケーシング２０の挿通部５２、５４は、回動部材と当たることにより、回動部材の回動範囲を規制可能である例を説明した。回動部材に挿通部５２、５４が設けられる場合、挿通部５２、５４は、ケーシング２０に当たることにより、回動部材の回動範囲を規制可能であればよい。
【００５２】
ケーシング２０の挿通部５２、５４は、ケーシング２０から突き出るように設けられ、回動部材は、回動部材の回動範囲での位置によらず、挿通部５２、５４の先端部を覆い隠すように設けられる例を説明した。回動部材に挿通部５２、５４が設けられる場合、挿通部５２、５４は、回動部材から突き出るように設けられ、ケーシング２０は、回動部材の回動範囲での位置によらず、挿通部５２、５４の先端部を覆い隠すように設けられていればよい。
【００５３】
回動部材の特定回動範囲は回動部材（便座２２）の回動可能範囲そのものである例を説明した。特定回動範囲はこれに限定されるものではない。回動部材が起立位置にあるとき、索状部材２４、２６の一部が外部空間６２に露出していてよいとも捉えられる。前述の効果（Ａ）を安定して得る観点から、特定回動範囲は、たとえば、倒伏位置Ｐａから起立位置Ｐｂまでの範囲のなかの半分以上の範囲で、かつ、倒伏位置Ｐａから起立位置Ｐｂ側に向かう範囲に設定されると好ましい。
【００５４】
挿通部５２、５４は、第１索状部材２４用の第１挿通部５２と第２索状部材２６用の第２挿通部５４が含まれる例を説明したが、いずれか一方のみが用いられてもよい。挿通部５２、５４は、左右方向Ｙに間を置いて複数設けられる例を説明したが、単数の挿通部５２、５４のみが設けられてもよいし、その左右方向Ｙでの位置は特に限定されない。
【００５５】
挿通部５２、５４は、ヒンジ機構４８のヒンジ軸部４８ｃと異なる箇所に設けられていればよい。たとえば、挿通部５２、５４は、その一部がヒンジベース部４８ａ、４８ｂにより構成されていてもよい。
【００５６】
索状部材２４、２６には配線用の第１索状部材２４と導水用の第２索状部材２６が含まれる例を説明したが、いずれか一方のみが用いられてもよい。
【００５７】
固定具７０は、ケーシング２０や回動部材に索状部材２４、２６を固定できれば、その具体例は特に限定されない。たとえば、固定具７０は、索状部材２４、２６を巻き付けることで索状部材２４、２６を固定可能でもよい。また、固定具７０は、ケーシング２０や回動部材と別体でもよいし、これらと同じ部材の一部として構成されてもよい。
【００５８】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【００５９】
以上の実施形態、変形例により具体化される発明を一般化すると、以下の技術的思想が導かれる。以下、発明が解決しようとする課題に記載の態様を用いて説明する。
【００６０】
第２態様の回動ユニットは、第１態様において、前記挿通部は、前記ケーシングに設けられてもよい。
この態様によれば、回動部材の回動に追従して挿通部が回動しないため、挿通部の回動を許容するための余分なスペースを回動部材の内部空間に確保せずともよくなる。
【００６１】
第３態様の回動ユニットは、第１または第２態様において、前記索状部材には、配線用の第１索状部材と、導水用の第２索状部材とが含まれ、前記挿通部には、前記第１索状部材が挿通される第１挿通部と、前記第２索状部材が挿通される第２挿通部とが含まれてもよい。
この態様によれば、導電経路となる第１索状部材と導水経路となる第２索状部材が同じ挿通部を通る場合より安全性を高められる。
【００６２】
第４態様の回動ユニットは、第１から第３態様のいずれかにおいて、前記挿通部は、前記ケーシング及び前記回動部材の他方と当たることにより、前記回動部材の回動範囲を規制可能であってもよい。
この態様によれば、回動部材の回動範囲を規制するための箇所を挿通部とは別の箇所に設けずともよくなり、回動ユニットの構造の簡素化を図れる。
【００６３】
第５態様の回動ユニットは、第１から第４態様のいずれかにおいて、前記挿通部は、前記ケーシング及び前記回動部材の一方から突き出るように設けられ、前記ケーシング及び前記回動部材の他方は、前記回動部材の回動範囲での位置によらず、前記挿通部の先端部を覆い隠すように設けられてもよい。
この態様によれば、回動部材の位置によって挿通部の先端部が外部空間に露出する場合と比べ、ケーシング及び回動部材の他方と挿通部の先端部との間に指先を入り難くなり、安全性の向上を図れる。
【００６４】
第６態様の回動ユニットは、第１から第５態様のいずれかにおいて、前記引出口は、前記回動部材が前記倒伏位置と前記起立位置のいずれにあるときも、前記内部空間に露出する位置にあるように設けられてもよい。
この態様によれば、ケーシング及び回動部材の他方と挿通部との間から索状部材が外部空間にはみ出る事態を安定して避けられる。
【００６５】
第７態様は便器装置であり、便器本体と、前記便器本体に取り付けられる第１から第６態様のいずれかに記載の回動ユニットと、を備える。
【符号の説明】
【００６６】
１０…便器装置、１４…便器本体、１６…回動ユニット、２０…ケーシング、２２…便座（回動部材）、２２ａ…内部空間、２４…第１索状部材、２６…第２索状部材、４８…ヒンジ機構、４８ｃ…ヒンジ軸部、５２…第１挿通部、５４…第２挿通部、６０…引出口、８０…先端部。
【図１】
2019177007.tif 000003
【図２】
2019177007.tif 000004
【図３】
2019177007.tif 000005
【図４】
2019177007.tif 000006
【図５】
2019177007.tif 000007
【図６】
2019177007.tif 000008
【図７】
2019177007.tif 000009
【図８】
2019177007.tif 000010
【図９】
2019177007.tif 000011
【図１０】
2019177007.tif 000012